(57)【要約】尿又は便が吸収体物品の上側に移動した場合であっても、体表面の濡れや汚れの発生を抑制し、また、尿又は便の外部への漏れを防止することができる吸収体物品を提供することを課題とする。底面部１２と、前記底面部１２の左右両側から上側に立ち上がり、内側に張り出した一対の側部１４とを有し、前記底面部１２と前記一対の側部１４とにより内部空間Ｓを形成している、シート状の防漏体１０と、前記内部空間Ｓに少なくとも１層配置された、高吸水性樹脂を含有し体液を吸収しうる吸収体２０とを具備し、前記側部１４の内側に張り出した部分である上縁部の上側から前記内部空間Ｓへの体液の移動を可能とする液移動性構造３０が設けられている、吸収体物品１００により、上記課題が達成される。
2009016726.tif 000002
【特許請求の範囲】
【請求項１】
底面部と、前記底面部の左右両側から上側に立ち上がり、内側に張り出した一対の側部とを有し、前記底面部と前記一対の側部とにより内部空間を形成している、シート状の防漏体と、
前記内部空間に少なくとも１層配置された、高吸水性樹脂を含有し体液を吸収しうる吸収体と
を具備し、
前記側部の内側に張り出した部分である上縁部の上側から前記内部空間への体液の移動を可能とする液移動性構造が設けられている、吸収体物品。
【請求項２】
前記液移動性構造として、前記上縁部に液透過性部が設けられている、請求項１に記載の吸収体物品。
【請求項３】
前記液透過性部の下に前記吸収体が存在する、請求項２に記載の吸収体物品。
【請求項４】
前記液透過性部が開口である、請求項２又は３に記載の吸収体物品。
【請求項５】
底面部と、前記底面部の左右両側から上側に立ち上がり、内側に張り出した一対の側部とを有し、前記底面部と前記一対の側部とにより内部空間を形成している、シート状の防漏体と、
前記内部空間に少なくとも１層配置された、高吸水性樹脂を含有し体液を吸収しうる吸収体と、
前記防漏体の前記底面部と前記一対の側部の前端から上部の前側にかけての部分とに結合して、前記防漏体の前側の開口を閉鎖する前方防漏体、及び／又は、前記防漏体の前記底面部と前記一対の側部の後端から上部の後側にかけての部分とに結合して、前記防漏体の後側の開口を閉鎖する後方防漏体と
を具備し、
前記前方防漏体及び／又は前記後方防漏体の上側から前記内部空間への体液の移動を可能とする液移動性構造が設けられている、吸収体物品。
【請求項６】
前記液移動性構造として、前記前方防漏体及び／又は前記後方防漏体に液透過性部が設けられている、請求項５に記載の吸収体物品。
【請求項７】
前記液透過性部の下に前記吸収体が存在する、請求項６に記載の吸収体物品。
【請求項８】
前記液透過性部が開口である、請求項６又は７に記載の吸収体物品。
【請求項９】
底面部と、前記底面部の左右両側から上側に立ち上がり、内側に張り出した一対の側部とを有し、前記底面部と前記一対の側部とにより内部空間を形成している、シート状の防漏体と、
前記内部空間に少なくとも１層配置された、高吸水性樹脂を含有し体液を吸収しうる吸収体と、
前記内部空間の前身頃部において、排出された尿の流れが直接当たる位置に配置され、尿が排出された場合に尿の流れが当たった位置から他の位置に移動させる液ガイドユニットと
を具備し、
前記液ガイドユニットの上側から前記内部空間の他の位置への体液の移動を可能とする液移動性構造が設けられている、吸収体物品。
【請求項１０】
前記液移動性構造として、前記液ガイドユニットに液透過性部が設けられている、請求項９に記載の吸収体物品。
【請求項１１】
前記液透過性部の下に前記吸収体が存在する、請求項１０に記載の吸収体物品。
【請求項１２】
前記液透過性部が開口である、請求項１０又は１１に記載の吸収体物品。
【発明の詳細な説明】
【技術分野】
【０００１】
本発明は、新規吸収体物品に関する。
【背景技術】
【０００２】
紙おむつ等の吸収体物品は、木材パルプ、高吸水性樹脂（Ｓｕｐｅｒ  Ａｂｓｏｒｂｅｎｔ  Ｐｏｌｙｍｅｒ、以下「ＳＡＰ」ともいう。）等の吸収成分を用いた吸収体により着用者から排出された尿を吸収し、また、便（大便）を受容する物品である。
従来の吸収体物品は、尿を吸収し便を受容する部分の左右両側に、インナーギャザー又はアウターギャザーと呼ばれる、ゴムを挿通して伸縮可能としたひだ状の部材が設けられており、これにより尿や便の外部への漏れを防止するような構造となっている。【０００３】
しかしながら、このような吸収体物品においては、前後にわたって一様な平面を有し、着用時に中央部が拡張し、着用者の下半身全体に接触して包み込む状態となるため、尿が排出されると、下半身全体が濡れることとなり、また、便が排出されると、着用者の臀部から下半身全体にかけて汚れやすいという問題があった。【０００４】
上記問題に対して、本発明者は、底面部と、前記底面部の左右両側から上側に立ち上がり、縁部が内側になるように曲がっている一対の側部とを有し、前記底面部と前記一対の側部とにより内部空間を形成している、シート状の第１防漏体と、前記内部空間に少なくとも１層配置された、高吸水性樹脂を含有し体液を吸収しうる吸収体と、前記一対の側部の縁部のそれぞれに沿って設けられた一対の縁部形状保持部材と、前記一対の縁部形状保持部材の各中央部の間にわたって設けられた架橋部材とを具備する立体的構造を持つ吸収体物品を提案した（特許文献１参照。）。
この吸収体物品は、尿による下半身の体表面の濡れが少なく、便排出による臀部の汚れが生じにくいという利点を有する。また、尿及び便の外部への漏れを効果的に防止することができるという利点も有する。【０００５】
【特許文献１】特開２００６−１１６１５７号公報
【発明の開示】
【発明が解決しようとする課題】
【０００６】
しかしながら、本発明者が、上記吸収体物品について更に検討した結果、尿が着用者の体表面を伝って移動するなど、尿又は便が一対の側部の曲がった部分の上側又は上端部に移動した場合には、体表面の濡れや汚れが生じ、また、尿又は便の外部への漏れが生じることがあることが分かった。
そこで、本発明は、尿又は便が吸収体物品の上側又は上端部に移動した場合であっても、体表面の濡れや汚れの発生を抑制し、また、尿又は便の外部への漏れを防止することができる吸収体物品を提供することを課題とする。
【課題を解決するための手段】
【０００７】
本発明者は、上記目的を達成すべく鋭意研究した結果、新規構造を有する吸収体物品を完成させた。【０００８】
即ち、本発明は、以下の（１）〜（１２）を提供する。
（１）底面部と、前記底面部の左右両側から上側に立ち上がり、内側に張り出した一対の側部とを有し、前記底面部と前記一対の側部とにより内部空間を形成している、シート状の防漏体と、
前記内部空間に少なくとも１層配置された、高吸水性樹脂を含有し体液を吸収しうる吸収体と
を具備し、
前記側部の内側に張り出した部分である上縁部の上側から前記内部空間への体液の移動を可能とする液移動性構造が設けられている、吸収体物品（本発明の第１の態様の吸収体物品）。
（２）前記液移動性構造として、前記上縁部に液透過性部が設けられている、上記（１）に記載の吸収体物品。
（３）前記液透過性部の下に前記吸収体が存在する、上記（２）に記載の吸収体物品。
（４）前記液透過性部が開口である、上記（２）又は（３）に記載の吸収体物品。【０００９】
（５）底面部と、前記底面部の左右両側から上側に立ち上がり、内側に張り出した一対の側部とを有し、前記底面部と前記一対の側部とにより内部空間を形成している、シート状の防漏体と、
前記内部空間に少なくとも１層配置された、高吸水性樹脂を含有し体液を吸収しうる吸収体と、
前記防漏体の前記底面部と前記一対の側部の前端から上部の前側にかけての部分とに結合して、前記防漏体の前側の開口を閉鎖する前方防漏体、及び／又は、前記防漏体の前記底面部と前記一対の側部の後端から上部の後側にかけての部分とに結合して、前記防漏体の後側の開口を閉鎖する後方防漏体と
を具備し、
前記前方防漏体及び／又は前記後方防漏体の上側から前記内部空間への体液の移動を可能とする液移動性構造が設けられている、吸収体物品（本発明の第２の態様の吸収体物品）。
（６）前記液移動性構造として、前記前方防漏体及び／又は前記後方防漏体に液透過性部が設けられている、上記（５）に記載の吸収体物品。
（７）前記液透過性部の下に前記吸収体が存在する、上記（６）に記載の吸収体物品。
（８）前記液透過性部が開口である、上記（６）又は（７）に記載の吸収体物品。【００１０】
（９）底面部と、前記底面部の左右両側から上側に立ち上がり、内側に張り出した一対の側部とを有し、前記底面部と前記一対の側部とにより内部空間を形成している、シート状の防漏体と、
前記内部空間に少なくとも１層配置された、高吸水性樹脂を含有し体液を吸収しうる吸収体と、
前記内部空間の前身頃部において、排出された尿の流れが直接当たる位置に配置され、尿が排出された場合に尿の流れが当たった位置から他の位置に移動させる液ガイドユニットと
を具備し、
前記液ガイドユニットの上側から前記内部空間の他の位置への体液の移動を可能とする液移動性構造が設けられている、吸収体物品（本発明の第３の態様の吸収体物品）。
（１０）前記液移動性構造として、前記液ガイドユニットに液透過性部が設けられている、上記（９）に記載の吸収体物品。
（１１）前記液透過性部の下に前記吸収体が存在する、上記（１０）に記載の吸収体物品。
（１２）前記液透過性部が開口である、上記（１０）又は（１１）に記載の吸収体物品。
【発明の効果】
【００１１】
本発明の吸収体物品は、尿又は便が吸収体物品の上側に移動した場合であっても、体表面の濡れや汚れの発生を抑制し、また、尿又は便の外部への漏れを防止することができる。
【図面の簡単な説明】
【００１２】
【図１】本発明の第１の態様の吸収体物品の例を示す模式図である。
【図２】種々の液透過性部の例を示す模式的な平面図である。
【図３】本発明の第１の態様の吸収体物品の別の例を示す模式図である。
【図４】本発明の第１の態様の吸収体物品の別の例を示す模式図である。
【図５】本発明の第１の態様の吸収体物品の更に別の例を示す模式図である。
【図６】本発明の第１の態様の吸収体物品の更に別の例を示す模式図である。
【図７】本発明の第３の態様の吸収体物品の例を示す模式図である。
【図８】本発明の第３の態様の吸収体物品の例を示す模式図である。
【符号の説明】
【００１３】
１０、１０ａ、１０ｂ、１０ｃ  防漏体
１２、１２ａ、１２ｂ、１２ｃ  底面部
１４、１４ａ、１４ｂ、１４ｃ  側部
１６、１６ａ、１６ｂ、１６ｃ  上縁部
１８、１８ａ、１８ｂ  縁部形状保持部材
２０、２０ａ、２０ｂ、２０ｃ  吸収体
２２、２２ａ  ガイドシート
３０、３０ｂ、３２、３２ａ、３４、３４ａ、３６  開口
３０ａ、４０  間隙
５０、５０ａ、５０ｂ、５０ｃ  ウエストバンド
５２、５２ａ、５２ｂ  フック材
５４  ループ材
６０、６０ａ  尿便分離部材
６２  尿便分離部材支持バンド
７０、７０ａ  便受容シート
８０、８０ａ、８０ｂ  前方防漏体
８２、８２ａ、８２ｂ  後方防漏体
９０  液ガイドユニット
１００、１００ａ、１００ｂ、１００ｃ  吸収体物品
ｍ  尿道口
Ｓ  内部空間
【発明を実施するための最良の形態】
【００１４】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。【００１５】
初めに、本発明の第１の態様の吸収体物品及び本発明の第２の態様の吸収体物品について説明する。
本発明の第１の態様の吸収体物品は、底面部と、前記底面部の左右両側から上側に立ち上がり、内側に張り出した一対の側部とを有し、前記底面部と前記一対の側部とにより内部空間を形成している、シート状の防漏体と、前記内部空間に少なくとも１層配置された、高吸水性樹脂を含有し体液を吸収しうる吸収体とを具備し、前記側部の内側に張り出した部分である上縁部の上側から前記内部空間への体液の移動を可能とする液移動性構造が設けられている、吸収体物品である。
本発明の第２の態様の吸収体物品は、底面部と、前記底面部の左右両側から上側に立ち上がり、内側に張り出した一対の側部とを有し、前記底面部と前記一対の側部とにより内部空間を形成している、シート状の防漏体と、前記内部空間に少なくとも１層配置された、高吸水性樹脂を含有し体液を吸収しうる吸収体と、前記防漏体の前記底面部と前記一対の側部の前端から上部の前側にかけての部分とに結合して、前記防漏体の前側の開口を閉鎖する前方防漏体、及び／又は、前記防漏体の前記底面部と前記一対の側部の後端から上部の後側にかけての部分とに結合して、前記防漏体の後側の開口を閉鎖する後方防漏体と
を具備し、前記前方防漏体及び／又は前記後方防漏体の上側から前記内部空間への体液の移動を可能とする液移動性構造が設けられている、吸収体物品である。【００１６】
図１は、本発明の吸収体物品の例を示す模式図である。図１に示される吸収体物品１００は、ウエストバンド型おむつを構成している。図１（Ａ）は平面図であり、図１（Ｂ）は図１（Ａ）中のＩＢ−ＩＢ線に沿った横端面図である。
なお、添付した図面中の各平面図においては、図の上側に吸収体物品等の前側が位置するように図示してある。【００１７】
図１に示される本発明の吸収体物品１００は、基本的に、底面部１２と、底面部１２の左右両側から上側に立ち上がり、内側に張り出した一対の側部１４とを有し、底面部１２と一対の側部１４とにより内部空間Ｓを形成している、シート状の防漏体１０と、内部空間Ｓに配置された、高吸水性樹脂を含有し体液を吸収しうる吸収体２０とを具備する。【００１８】
防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
また、前記樹脂のフィルムを用いる場合には、感触や外観を向上させるために、フィルムと不織布との複層シートとして用いることもできる。この場合、不織布としては、比較的低目付のＳＢ、ＳＭＳ、サーマルボンド不織布等が好適に用いられる。
また、前記樹脂のフィルムと後述するシート状吸収体との複層シートを用いることもできる。
また、高耐水性不織布を用いることもできる。この場合、単独で用いてもよく、フィルムと高耐水性不織布との複層シートとして用いることもできる。【００１９】
防漏体１０は、複数の部材から構成されていてもよい。【００２０】
防漏体１０は、上述したように、底面部１２と、一対の側部１４とを有する。
底面部１２は、図１においては吸収体２０が存在する部分が平坦になっており、その両側が緩やかに立ち上がって、その端部が側部１４の端部と相俟って伸縮性のレッグギャザーを形成している。レッグギャザーは、特に限定されず、例えば、従来公知の構成とすることができる。
一対の側部１４は、図１においては底面部１２の左右両側の端部から、底面部１２に沿って存在し、底面部１２の吸収体２０が存在する部分において上側に立ち上がり、内側に張り出しているが、これは模式的に表したものにすぎず、一対の側部１４の構造は、底面部１２の左右両側から上側に立ち上がり内側に張り出した部分を有するものであれば、特に限定されない。例えば、図１においては一対の側部１４全体が底面部１２の左右両側の端部から内側に張り出しているが、一対の側部が底面部の左右両側から外側に拡がり、途中で内側に曲がって内側に張り出しているものであってもよい。
吸収体物品１００においては、側部１４の内側に張り出した部分である一対の上縁部１６の端部が、伸縮性材料で構成されている。伸縮性材料は、特に限定されないが、例えば、ポリウレタンフィラメントが挙げられる。【００２１】
吸収体物品１００においては、側部１４の内側に張り出した部分である一対の上縁部１６が、吸収体物品１００の前身頃において交差し、その交差した点を頂点とするほぼ二等辺三角形のかたちの間隙４０を形成している（図１（Ａ）参照。）。
間隙４０がこのような形状であると、尿を収容する前身頃では尿を充分に収容できるポケットを形成しつつ、尿の着用者の肌への直接の接触を防止することができ、尿道口付近では尿の排出を妨げない程度の間隔（例えば、４０〜５０ｍｍ）を維持することができ、後身頃では後ろに行くに従ってその間隔が広がって着用者の臀部を包み込み、便の収容を容易にすることができる。【００２２】
底面部１２と一対の側部１４とにより、内部空間Ｓが形成されている。内部空間Ｓには、吸収体２０が配置されている。【００２３】
本発明に用いられる吸収体２０は、高吸水性樹脂を含有し体液を吸収しうるものであれば特に限定されず、例えば、粉末状の木材パルプ、無加工のＳＡＰ等の粉体状吸収体を用いることもできるが、形態安定性、脱落の可能性等を考慮すると、シート状吸収体が好ましい。中でも、不織布上に前記高吸水性樹脂をコーティングしてなるシート状吸収体が好ましい。
吸収体の種類は、用途に応じて適宜選択することができる。例えば、本発明の吸収体物品を子供用おむつとする場合、新生児用や月齢の低い乳児用（大きさで言えば、Ｓサイズ）としては、木材パルプの含有量が多いものが好ましく、また、月齢の高い乳児用（大きさで言えば、ＭサイズやＬサイズ）としては、ＳＡＰの含有量が多いものが好ましい。【００２４】
シート状吸収体の中でも、ＳＡＰを５０質量％以上、好ましくは６０〜９５質量％含有する高吸水性シートであるのが好ましい態様の一つである。
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュ又は液透過性不織布で挟んだＳＡＰシートが挙げられる。【００２５】
吸収体は、少なくとも１層配置される。即ち、吸収体は、１層であってもよく、２層以上（複数層）であってもよい。
また、吸収体は、折りたたんだ状態で配置することもできる。【００２６】
吸収体物品１００においては、側部１４の内側に張り出した部分である上縁部１６の上側から内部空間Ｓへの体液の移動を可能とする液移動性構造が設けられている。
図１に示される吸収体物品１００における液移動性構造は、側部１４の上縁部１６に設けられた液透過性部であり、より具体的には、側部１４の上縁部１６に設けられた長方形の開口３０である。
吸収体物品１００は、一対の側部１４の縁部の間にできた前後方向に延在する間隙４０の上方に尿道口ｍが位置するように着用される。尿が排出されると、図１中、矢印で示されるように、その大部分は間隙４０を通過して内部空間Ｓへと移動し、吸収体２０に吸収される。一方、排出された尿のうち一部は、側部１４の上縁部１６の上側に移動する。この場合、その全量又は大部分は、図１中、矢印で示されるように、開口３０を通過することにより、上縁部１６の上側から内部空間Ｓへと移動し、吸収体２０に吸収される。したがって、尿が上縁部１６の上側に存在することによる体表面の濡れを抑制し、また、尿の外部への漏れを防止することができる。
図１に示されるように、液透過性部が側部の上縁部に設けられた長方形の開口であると、間隙４０を通過せず、上縁部１６上に溢出する尿が多くても、開口部３０を通過させて吸収体２０に吸収させることができるため、外部へ漏れるおそれがない。【００２７】
側部の上縁部に設けられた液透過性部は、図１に示されるような長方形の開口に限定されない。
図２は、種々の液透過性部の例を示す模式的な平面図である。
図２（Ａ）〜図２（Ｃ）に示される液透過性部は、いずれも複数の開口からなる液透過性部である。図２（Ａ）に示される液透過性部は、複数の細かい円形の開口からなる。円形の開口の径と数とを適正化することにより、液の透過性能を適宜調整することができる。
図２（Ｂ）に示される液透過性部は、複数の方形の切り欠き状の開口からなる。切り欠き状の開口の面積と数とを適正化することにより、液の透過性能を適宜調整することができる。
図２（Ｃ）に示される液透過性部は、前後方向に延在して並列する複数のスリット状の開口からなる。スリット状の開口を並列させて配置することにより、１列目（最も内側のもの）で尿の透過が十分に行えなくても、２列目・３列目で確実に尿を透過させて、外部への漏れを防止することができる。
図２（Ｄ）に示される液透過性部は、多孔質材料からなる液透過性部である。側部の上縁部の一部に多孔質材料からなる液透過性部を設け、多孔質材料の細かい空隙を通じて体液の移動を可能とする。多孔質材料を適切に選択することによって、この液透過性部から移動した体液が逆戻りすることを防止することができる。多孔質材料としては、例えば、親水化スパンメルト不織布、レーヨン、コットン等の親水性不織布；開孔フィルム、網状物（例えば、ネット、メッシュ類）が挙げられる。
これらの液透過性部は、複数種を組み合わせて使用することもできる。例えば、切り欠き状の開口と別の形状の切り欠き状の開口との組合せ、切り欠き状の開口とスリット状の開口との組合せが挙げられる。また、切り欠き状の開口の上を液透過性の多孔質材料で被覆した組合せ等、複数種の液透過性部を上下に配置した組合せも好適に挙げられる。【００２８】
液移動性構造が側部の上縁部に設けられた液透過性部である場合、液透過性部の下に吸収体が存在するのが好ましい。これにより、液透過性部を通じて内部空間へと移動した体液を吸収体により速やかに吸収することができる。
図１に示される吸収体物品１００においては、開口３０の下に吸収体２０が存在している。【００２９】
吸収体物品１００は、ウエストバンド型おむつを構成している。
吸収体物品１００の後端部付近には、ウエストバンド５０が配置されている。ウエストバンド５０は、複数（例えば、１５本）のポリウレタンフィラメント（例えば、東レデュポン社製、４７０ｄｔｅｘ）を２枚のＳＭＳ（例えば、Ａｖｇｏｌ社製、目付量１３ｇ／ｍ2）で挟み込んだ構造を有している。
ウエストバンド５０の左右両端には、フック材５２が設けられ、防漏体１０の前部の下側に設けられたループ材（図示せず。）と着脱可能になっている。吸収体物品１００は、着用時に、フック材５２とループ材（図示せず。）とが結合してウエストホールを形成する。【００３０】
図３及び図４は、本発明の吸収体物品の別の例を示す模式図である。図３及び図４に示される吸収体物品１００ａは、パンツ型おむつを構成している。図３はウエスト部のシール部の左右２箇所を切断して展開した平面展開図であり、図４（Ａ）は図３中のＩＶＡ−ＩＶＡ線に沿った横端面図であり、図４（Ｂ）は図３中のＩＶＢ−ＩＶＢ線に沿った横端面図であり、図４（Ｃ）は図３中のＩＶＣ−ＩＶＣ線に沿った縦端面図である。【００３１】
図３及び図４に示される本発明の吸収体物品１００ａは、基本的に、底面部１２ａと、底面部１２ａの左右両側から上側に立ち上がり、内側に張り出した一対の側部１４ａとを有し、底面部１２ａと一対の側部１４ａとにより内部空間Ｓを形成している、シート状の防漏体１０ａと、内部空間Ｓに配置された、高吸水性樹脂を含有し体液を吸収しうる吸収体２０ａとを具備する。
したがって、吸収体物品１００ａは、本発明の第１の態様の吸収体物品であるが、後述するように、本発明の第２の態様の吸収体物品にも該当する。【００３２】
防漏体１０ａは、上述したように、底面部１２ａと、一対の側部１４ａとを有する。
底面部１２ａは、折りたたまれて逆Ω字型の横端面を有しており、その両側の端部が側部１４ａの端部と結合している。底面部１２ａが折りたたまれていることにより、大量の尿が排出された場合でも保持する容積を確保することができる。
一対の側部１４ａは、底面部１２ａの左右両側の端部から、上側に立ち上がり、内側に張り出している。
側部１４ａの内側に張り出した部分である上縁部１６ａは、その端部が外側に曲がって縁部形状保持部材１８を形成している。縁部形状保持部材１８は、着用者の肌に接触するように配置されている。縁部形状保持部材１８は、上縁部１６ａの端部が外側に曲がって更に折り返すことによって複数（例えば、５本）のポリウレタンフィラメント（例えば、東レデュポン社製、４７０ｄｔｅｘ）を巻き込み、幅広に形成されている。
防漏体１０ａの材質としては、防漏体１０の材質と同様のものを用いることができる。
底面部１２ａと一対の側部１４ａとにより、内部空間Ｓが形成されている。内部空間Ｓには、吸収体２０ａが配置されている。【００３３】
吸収体２０ａは、吸収体物品１００の吸収体２０と基本的に同じであるが、防漏体１０ａの底面部１２ａと同様に、折りたたまれて逆Ω字型の横端面を有している点で異なる。吸収体２０ａが折りたたまれていることにより、内部空間Ｓに配置される吸収体の量を多くすることができ、大量の尿が排出された場合でも吸収することが可能となる。【００３４】
吸収体２０ａの左右方向の中央部の上部においては、ガイドシート２２が配置されている。【００３５】
ガイドシート２２は、尿を移動させるための流路を有する。
吸収体物品を使用する際、着用者の姿勢、着用位置等により、吸収体に吸収される尿の量が位置により大幅に偏ってしまうことがある。このような場合、本発明の吸収体物品がガイドシートを有すると、尿を多く吸収した吸収体から少ない部分へと、尿が移動し、その結果、偏りが緩和される。これにより、吸収体物品の実質的な尿吸収量及び使用可能時間が長くなる。【００３６】
ガイドシート２２は、尿の移動を可能とする流路を有する構造であれば特に限定されないが、体液吸収性や体液保持性を有しないのが、尿の移動が速やかに行われる点で好ましい。具体的には、凸部に開孔を有する凹凸シート部材（開孔凹凸シート部材）が好適に挙げられる。【００３７】
開孔凹凸シート部材は、凹部と凸部を有する凹凸面を少なくとも一つの面として有する。開孔凹凸シート部材においては、多数の凹部が連なって体液の流路として機能する。開孔凹凸シート部材は、凸部が使用時に多少つぶれたとしても、体液の流通が阻害されないという利点を有する。
また、開孔凹凸シート部材においては、開孔も体液の流路として機能する。【００３８】
開孔凹凸シート部材の材料としては、例えば、ＰＥ、ＰＰ、ＰＶＡ、ウレタン等の樹脂からなる体液不透過性のフィルムが挙げられる。
開孔凹凸シート部材の具体例としては、本発明者が国際公開第０２／０６５９６５号パンフレットにおいて提案したものが挙げられる。【００３９】
ガイドシートとして開孔凹凸シート部材を用いる場合、開孔に体液が残存する、液残りが生じ、いわゆるリウェット値が悪くなることがある。この場合、開孔凹凸シート部材の下側に、親水性拡散シートを組み合わせて用いるのが好ましい。これにより、開孔に存在する体液が、親水性拡散シートに浸透して移動するので、リウェット値が大幅に低くなる。また、開孔凹凸シート部材が防漏体とずれることが防止され、形状安定性も向上する。【００４０】
親水性拡散シートとしては、比較的目付の低い親水性不織布状物が好適に用いられる。親水性不織布状物としては、例えば、レーヨン、コットン、木材パルプ等を含有させた親水性不織布；又はティッシュが挙げられる。具体的には、ティッシュペーパー、レーヨンスパンボンド（例えば、ＴＣＦ、二村化学社製）、コットンスパンレース、レーヨン／ＰＰ混合スパンレース、レーヨン／ＰＥＴ混合スパンレースが挙げられる。
また、ＰＰ、ＰＥ又はＰＥＴのスパンボンド不繊布、ＰＰのサーマルボンド不繊布、ＰＥ／ＰＥＴのスルーエア不織布等の合繊不織布を界面活性剤等で表面処理することにより親水化した不繊布も挙げられる。
開孔凹凸シート部材と親水性拡散シートとは、単に重ね合わせて積層してもよく、ホットメルト、熱ラミネート等により複合化してもよい。【００４１】
親水性拡散シートの下側には、体液不透過性シートを組み合わせて用いるのが好ましい。これにより、体液が親水性拡散シートと防漏体のシート部との間に一時的にも貯留されず、速やかに防漏体の袋部へと移動するようになる。体液不透過性シートの材料としては、例えば、ＰＥ、ＰＰ、ＰＶＡ、ウレタン等の樹脂からなるフィルムが挙げられる。
親水性拡散シートと体液不透過性シートとは、単に重ね合わせて積層してもよく、ホットメルト、熱ラミネート等により複合化してもよい。
また、親水性拡散シートを用いずに、開孔凹凸シート部材と体液不透過性シートとを組み合わせて用いてもよい。
開孔凹凸シート部材と体液不透過性シートとは、単に重ね合わせて積層してもよく、ホットメルト、熱ラミネート等により複合化してもよい。【００４２】
吸収体物品１００ａにおいては、側部１４ａの内側に張り出した部分である上縁部１６ａの上側から、より具体的には、上縁部１６ａの端部にある縁部形状保持部材１８の上側から、内部空間Ｓへの体液の移動を可能とする液移動性構造が設けられている。
図３及び図４に示される吸収体物品１００ａにおける液移動性構造は、側部１４ａの上縁部１６ａの端部にある縁部形状保持部材１８と、その内側に存在する、後述する尿便分離部材支持バンド６２との間の間隙３０ａである。
間隙３０ａの機能は、吸収体物品１００の開口３０の機能と同じである。具体的には、尿が上縁部１６ａ（より具体的には、上縁部１６ａの端部にある縁部形状保持部材１８）の上側に存在することによる体表面の濡れを抑制し、また、尿の外部への漏れを防止する機能である。この機能は、尿が尿道口から内部空間Ｓへと移動する際に、尿の一部があふれ出して、尿便分離部材支持バンド６２を越え、直接に又は上縁部１６ａの端部にある縁部形状保持部材１８の上側を経由して、前後方向の中央部に存在する間隙３０ａを通過し吸収体２０ａに吸収されることにより実現される。仮に、このような尿便分離部材支持バンド６２や間隙３０ａがないとすると、尿の一部が上縁部１６の端部にある縁部形状保持部材１８を乗り越えて外部に漏出することが生じうる。間隙３０ａは、尿便分離部材６０の左右両側に隣接して設けられている。これは、尿便分離部材６０の上面を伝わった尿が外部へと漏れる問題を防止するためである。【００４３】
吸収体物品１００ａは、更に、内部空間Ｓを前後に仕切る尿便分離機能を奏する尿便分離部材６０を具備する。
吸収体物品１００ａにおいては、尿便分離部材６０が一対の側部１４ａ及び便受容シート７０の先端部と結合することにより、内部空間Ｓが、前側から便受容シート７０の下側に至る尿吸収用空間と後側の便受容シート７０の上側の便収容用空間とに分離しており、尿吸収用空間には、吸収体２０ａが配置されている。すなわち、吸収体物品１００ａは、その後部において、防漏体１０ａの上に吸収体２０ａを介して便受容シート７０を有し、防漏体１０ａ上の吸収体２０ａで尿を吸収し、便受容シート７０の上側で便を収容するという「二階建て構造」となっている。【００４４】
尿便分離部材は、内部空間を前後に仕切り、物理的に、尿及び便の移動を妨げることができるものであれば、特に限定されない。例えば、接着剤、ゴム、フィルム、フォーム（発泡体）、不織布、ネット状シートが挙げられる。
尿便分離部材により内部空間Ｓを、尿吸収用空間と便収容用空間とに分離させることにより、尿便分離処理が可能となる。その結果、尿と便とが混じり合って、臭いが強くなったり、かぶれが発生しやすくなったりするなどの問題をなくすことができる。尿吸収用空間と便収容用空間との分離は、完全であるのが好ましいが、両者がつながっていても、その部分がわずかであれば、又は、尿が拡散しにくい吸収体を用いれば、実質的に尿便分離処理が可能となる。【００４５】
吸収体物品１００ａは、更に、尿便分離部材６０の上端部を左右両側から挟み込んで支持する尿便分離部材支持バンド６２を具備する。
尿便分離部材支持バンド６２は、一対の側部１４ａの内側に張り出した部分である上縁部１６ａに沿って設けられたギャザー状のバンドであり、その下端部が上縁部１６ａに結合している。尿便分離部材支持バンド６２は、前後方向の中央部において、尿便分離部材６０と結合して、尿便分離部材６０を支持している。
上縁部１６ａと尿便分離部材６０との位置関係は、前後方向の中央部において、空隙３０ａを有し、それ以外の部分ではほぼ接触している。
吸収体物品１００ａにおいては、一対の尿便分離部材支持バンド６２により、ほぼ長方形のかたちの間隙が形成されている。【００４６】
吸収体物品１００ａは、更に、尿便分離部材６０の下端部に先端部が結合した便受容シート７０を具備する。
便受容シート７０は、例えば、疎水性ＳＭＳ不織布（例えば、目付量１５ｇ／ｍ2）からなり、便受容シート７０の左右両端と防漏体１０ａの内面とが接着剤等によって、未結合部を残すように部分的に結合している。未結合部が残っているため、水様便等の極めて流動性の高い軟便が排出された場合には、軟便は、便受容シート７０の左右両側から未結合部を経由してその下側に存在する吸収体２０ａへと移動して吸収される。【００４７】
本発明においては、更に、前記防漏体の前記底面部と前記一対の側部の前端から上部の前側にかけての部分とに結合して、前記防漏体の前側の開口を閉鎖する前方防漏体、及び／又は、前記防漏体の前記底面部と前記一対の側部の後端から上部の後側にかけての部分とに結合して、前記防漏体の後側の開口を閉鎖する後方防漏体を具備し、前記前方防漏体及び／又は前記後方防漏体の上側から前記内部空間への体液の移動を可能とする液移動性構造が設けられているのが好ましい態様の一つである。
吸収体物品１００ａは、更に、防漏体１０ａの底面部１２ａと一対の側部１４ａの前端から上部の前側にかけての部分とに結合して、防漏体１０ａの前側の開口を閉鎖する前方防漏体８０、及び、防漏体１０ａの底面部１２ａと一対の側部１４ａの後端から上部の後側にかけての部分とに結合して、防漏体１０ａの後側の開口を閉鎖する後方防漏体８２を具備し、前方防漏体８０及び後方防漏体８２の上側から前記内部空間への体液の移動をそれぞれ可能とする液移動性構造が設けられている。
したがって、吸収体物品１００ａは、本発明の第２の態様の吸収体物品にも該当する。【００４８】
図３及び図４（Ｃ）に示されるように、前方防漏体８０は、防漏体１０ａの底面部１２ａと一対の側部１４ａの前端から上部の前側にかけての部分とに結合して、防漏体１０ａの前側の開口を閉鎖している。また、後方防漏体８２は、防漏体１０ａの底面部１２ａと一対の側部１４ａの後端から上部の後側にかけての部分とに結合して、防漏体１０ａの後側の開口を閉鎖している。【００４９】
本発明の吸収体物品１００は、立位及び座位では、前側及び後側が上、中央部が下というＵ字型の状態で着用されるので、尿及び便が前側及び後側の開口から漏れることはほとんどないが、横臥位及び伏臥位においては、漏れるおそれがある。
本発明の吸収体物品１００ａにおいて、前方防漏体８０及び後方防漏体８２は、防漏体１０ａと結合して袋状になっている。これにより、前方防漏体８０は、排出された尿が、防漏体１０ａの前側の開口から、外部へ漏れることを防止する。また、後方防漏体８２は、排出された尿及び便が、防漏体１０ａの後の開口から、外部へ漏れることを防止する。【００５０】
吸収体物品１００ａにおいては、前方防漏体８０及び後方防漏体８２の上側から内部空間Ｓへの体液の移動をそれぞれ可能とする液移動性構造が設けられている。
これらの液移動性構造は、前方防漏体８０及び後方防漏体８２のそれぞれに設けられた液透過性部であり、より具体的には、前方防漏体８０及び後方防漏体８２のそれぞれに設けられた長方形の開口３２及び３４である。
排出された尿のうち一部が前方防漏体８０及び後方防漏体８２の上側に移動した場合、その全量又は大部分は、開口３２及び３４を通過することにより、前方防漏体８０及び後方防漏体８２の上側から内部空間Ｓへと移動し、吸収体２０ａに吸収される。したがって、尿が前方防漏体８０及び後方防漏体８２の上側に存在することによる体表面の濡れを抑制し、また、尿の外部への漏れを防止することができる。
図３に示されるように、液透過性部が前方防漏体及び後方防漏体に設けられた横に長い長方形の開口であると、着用者の肌を伝わって前方防漏体及び後方防漏体の上に移動した尿を、幅方向の広い範囲にわたって確実に内部空間へ移動させることができる。【００５１】
吸収体物品１００ａのように、本発明の吸収体物品が尿便分離部材を具備する場合は、尿便分離部材が着用者の尿道口の付近に存在するため、尿便分離部材を介して側部の上縁部の上側に移動しやすい。また、更に前方防漏体及び／又は後方防漏体を具備するときは、前方防漏体及び／又は後方防漏体の上部に移動するおそれもある。
したがって、本発明の吸収体物品が尿便分離部材を具備する場合は、尿が上縁部の上側、更には前方防漏体及び／又は後方防漏体の上側に存在することによる体表面の濡れを抑制し、また、尿の外部への漏れを防止する必要性が大きく、液移動性構造が奏する効果も大きい。【００５２】
吸収体物品１００ａは、パンツ型おむつ（テープレス型おむつ）を構成している。
吸収体物品１００ａの前端部付近及び後端部付近には、それぞれウエストバンド５０ａが配置されている。ウエストバンド５０ａは、吸収体物品１００のウエストバンド５０と同様のものとすることができる。吸収体物品１００ａは、図３に示される前後のウエストバンド５０ａの左右両端同士において前身頃と後身頃とが結合しており、ウエストホールを形成している。【００５３】
図５及び図６は、本発明の吸収体物品の更に別の例を示す模式図である。図５及び図６に示される吸収体物品１００ｂは、ウエストバンド型おむつを構成している。図５は平面図であり、図６（Ａ）は図５中のＶＩＡ−ＶＩＡ線に沿った横端面図であり、図６（Ｂ）は図５中のＶＩＢ−ＶＩＢ線に沿った横端面図であり、図６（Ｃ）は図５中のＶＩＣ−ＶＩＣ線に沿った縦端面図である。【００５４】
図５及び図６に示される本発明の吸収体物品１００ｂは、基本的に、底面部１２ｂと、底面部１２ｂの左右両側から上側に立ち上がり、内側に張り出した一対の側部１４ｂとを有し、底面部１２ｂと一対の側部１４ｂとにより内部空間Ｓを形成している、シート状の防漏体１０ｂと、内部空間Ｓに配置された、高吸水性樹脂を含有し体液を吸収しうる吸収体２０ｂとを具備する。
したがって、吸収体物品１００ｂは、本発明の第１の態様の吸収体物品であるが、後述するように、本発明の第２の態様の吸収体物品にも該当する。【００５５】
防漏体１０ｂは、上述したように、底面部１２ｂと、一対の側部１４ｂとを有する。
底面部１２ｂは、折りたたまれて逆Ω字型の横端面を有しており、その両側の端部が側部１４ｂの端部と結合している。底面部１２ｂが折りたたまれていることにより、大量の尿が排出された場合でも保持する容積を確保することができる。
一対の側部１４ｂは、底面部１２ｂの左右両側の端部から、上側に立ち上がり、内側に張り出している。
側部１４ｂの内側に張り出した部分である上縁部１６ｂは、その端部が外側に曲がって縁部形状保持部材１８ａを形成している。縁部形状保持部材１８ａは、着用者の肌に接触するように配置されている。縁部形状保持部材１８ａは、吸収体物品１００ａの縁部形状保持部材１８と基本的に同じである。
防漏体１０ｂの材質としては、防漏体１０の材質と同様のものを用いることができる。
底面部１２ｂと一対の側部１４ｂとにより、内部空間Ｓが形成されている。内部空間Ｓには、吸収体２０ｂが配置されている。【００５６】
吸収体２０ｂは、吸収体物品１００ａの吸収体２０ａと基本的に同じである。【００５７】
吸収体２０ｂの左右方向の中央部の上部においては、ガイドシート２２ａが配置されている。
ガイドシート２２ａは、吸収体物品１００ａのガイドシート２２と基本的に同じである。【００５８】
吸収体物品１００ｂにおいては、側部１４ｂの内側に張り出した部分である上縁部１６ｂの上側から、より具体的には、上縁部１６ｂの端部にある縁部形状保持部材１８ａの上側から、内部空間Ｓへの体液の移動を可能とする液移動性構造が設けられている。
図５及び図６に示される吸収体物品１００ｂにおける液移動性構造は、側部１４ｂの上縁部１６ｂに設けられた液透過性部であり、より具体的には、側部１４ｂの上縁部１６ｂに設けられた長方形の開口３０ｂである。
開口３０ｂの機能は、吸収体物品１００の開口３０の機能と同じである。具体的には、尿が上縁部１６ｂ（より具体的には、上縁部１６ｂの端部にある縁部形状保持部材１８ａ）の上側に存在することによる体表面の濡れを抑制し、また、尿の外部への漏れを防止する機能である。この機能は、上縁部１６ｂの端部にある縁部形状保持部材１８ａの上側に存在する尿が、その外側で、かつ、前後方向の中央部に存在する開口３０ｂを通過することにより、上縁部１６ｂの上側から内部空間Ｓへと移動し、吸収体２０ｂに吸収されることにより実現される。【００５９】
吸収体物品１００ｂは、更に、内部空間Ｓを前後に仕切る尿便分離機能を奏する尿便分離部材６０ａを具備する。
吸収体物品１００ｂにおいては、尿便分離部材６０ａが一対の側部１４ｂ及び便受容シート７０ａの先端部と結合することにより、内部空間Ｓが、前側から便受容シート７０ａの下側に至る尿吸収用空間と後側の便受容シート７０ａの上側の便収容用空間とに分離しており、尿吸収用空間には、吸収体２０ｂが配置されている。すなわち、吸収体物品１００ｂは、その後部において、防漏体１０ｂの上に吸収体２０ｂを介して便受容シート７０ａを有し、防漏体１０ｂ上の吸収体２０ｂで尿を吸収し、便受容シート７０ａの上側で便を収容するという「二階建て構造」となっている。【００６０】
尿便分離部材６０ａは、吸収体物品１００ａの尿便分離部材６０と基本的に同じであるが、その縦断面がＺ字型になっている点（図６（Ｃ）参照。）及び平面形状が左右方向の中央部において前後方向の長さが短くなっている点（図５参照。）で異なる。このように尿便分離部材６０ａの縦断面がＺ字型になるように折りたたまれていると、便が排出された場合に、尿便分離部材６０ａが縦に伸びることにより、便収容用空間を大きくすることができる。また、尿便分離部材６０ａの平面形状が左右方向において、両端部の前後方向の長さが長く、中央部の前後方向の長さが短くなっていると、尿便分離部材６０ａが着用者の会陰の狭い部分に安定的に当接させることが可能になり、尿便分離効果がより優れたものとなる。【００６１】
吸収体物品１００ｂは、更に、尿便分離部材６０ａの下端部に先端部が結合した便受容シート７０ａを具備する。
便受容シート７０ａは、吸収体物品１００ａの便受容シート７０と基本的に同じである。【００６２】
吸収体物品１００ｂは、更に、防漏体１０ｂの底面部１２ｂと一対の側部１４ｂの前端から上部の前側にかけての部分とに結合して、防漏体１０ｂの前側の開口を閉鎖する前方防漏体８０ａ、及び、防漏体１０ｂの底面部１２ｂと一対の側部１４ｂの後端から上部の後側にかけての部分とに結合して、防漏体１０ｂの後側の開口を閉鎖する後方防漏体８２ａを具備し、前方防漏体８０ａ及び後方防漏体８２ａの上側から前記内部空間への体液の移動をそれぞれ可能とする液移動性構造が設けられている。
したがって、吸収体物品１００ｂは、本発明の第２の態様の吸収体物品にも該当する。【００６３】
前方防漏体８０ａ及び後方防漏体８２ａは、それぞれ吸収体物品１００ａの前方防漏体８０及び後方防漏体８２と基本的に同じである。【００６４】
吸収体物品１００ｂにおいては、前方防漏体８０ａ及び後方防漏体８２ａの上側から内部空間Ｓへの体液の移動をそれぞれ可能とする液移動性構造が設けられている。
これらの液移動性構造は、前方防漏体８０ａ及び後方防漏体８２ａのそれぞれに設けられた液透過性部であり、より具体的には、前方防漏体８０ａ及び後方防漏体８２ａのそれぞれに設けられた長方形の開口３２ａ及びスリット状の二つの開口３４ａである。後方防漏体８２ａに設けられたスリット状の二つの開口３４ａは、ウエストバンド５０ｂを貫通している。
開口３２ａ及び３４ａの機能は、吸収体物品１００ａの開口３２及び３４の機能と同じである。
図５に示されるように、液透過性部が後方防漏体に設けられた前後２列のスリット状の開口であると、１列目（前側のもの）で尿の透過が十分に行えなくても、２列目で確実に尿を透過させて、外部への漏れを防止することができる。また、開口をスリット状とすることにより、開口面積を狭くすることができるので、下側から尿が逆流することを効果的に防止することができる。【００６５】
吸収体物品１００ｂは、ウエストバンド型おむつを構成している。
吸収体物品１００ｂの後端部付近には、ウエストバンド５０ｂが着用者の肌に接触する側に配置されている。ウエストバンド５０ｂは、吸収体物品１００のウエストバンド５０と同様である。
ウエストバンド５０ｂの左右両端には、フック材５２ａが設けられ、防漏体１０ｂの前部の下側に設けられたループ材５４と着脱可能になっている。吸収体物品１００ｂは、着用時に、フック材５２ｂとループ材５４とが結合してウエストホールを形成する。【００６６】
つぎに、本発明の第３の態様の吸収体物品について説明する。
本発明の第３の態様の吸収体物品は、底面部と、前記底面部の左右両側から上側に立ち上がり、内側に張り出した一対の側部とを有し、前記底面部と前記一対の側部とにより内部空間を形成している、シート状の防漏体と、前記内部空間に少なくとも１層配置された、高吸水性樹脂を含有し体液を吸収しうる吸収体と、前記内部空間の前身頃部において、排出された尿の流れが直接当たる位置に配置され、尿が排出された場合に尿の流れが当たった位置から他の位置に移動させる液ガイドユニットとを具備し、前記液ガイドユニットの上側から前記内部空間の他の位置への体液の移動を可能とする液移動性構造が設けられている、吸収体物品である。【００６７】
図７及び図８は、本発明の第３の態様の吸収体物品の例を示す模式図である。図７及び図８に示される吸収体物品１００ｃは、パンツ型おむつを構成している。図７はウエスト部のシール部の左右２箇所を切断して展開した平面展開図であり、図８（Ａ）は図７中のＶＩＩＩＡ−ＶＩＩＩＡ線に沿った横端面図であり、図８（Ｂ）は図７中のＶＩＩＩＢ−ＶＩＩＩＢ線に沿った横端面図であり、図８（Ｃ）は図７中のＶＩＩＩＣ−ＶＩＩＩＣ線に沿った縦端面図である。【００６８】
図７及び図８に示される本発明の吸収体物品１００ｃは、基本的に、底面部１２ｃと、底面部１２ｃの左右両側から上側に立ち上がり、内側に張り出した一対の側部１４ｃとを有し、底面部１２ｃと一対の側部１４ｃとにより内部空間Ｓを形成している、シート状の防漏体１０ｃと、内部空間Ｓに少なくとも１層配置された、高吸水性樹脂を含有し体液を吸収しうる吸収体２０ｃと、内部空間Ｓの前身頃部において、排出された尿の流れが直接当たる位置に配置され、尿が排出された場合に尿の流れが当たった位置から他の位置に移動させる液ガイドユニット９０とを具備する。【００６９】
防漏体１０ｃは、吸収体物品１００ａの防漏体１０ａと基本的に同じである。底面部１２ｃ、側部１４ｃ、上縁部１６ｃ及び縁部形状保持部材１８ｂは、それぞれ、吸収体物品１００ａの底面部１２ａ、側部１４ａ、上縁部１６ａ及び縁部形状保持部材１８に相当する。ただし、防漏体１０ｃにおいては、上縁部１６ｃの外側への折り返し部分が長く、縁部形状保持部材１８ｂの縁部が防漏体１０ｃの最も外側の部分となっている。【００７０】
吸収体２０ｃは、ＳＡＰの分散スラリーを不織布の上に並列の帯状にコーティングする方法で得られる高吸水性シートである。吸収体２０ｃは、図７及び図８に示されるように、帯状のＳＡＰが前後方向に並ぶ向きで、防漏体１０ｃの底面部１２ｃと同様に、折りたたまれて配置されている。吸収体２０ｃが折りたたまれていることにより、内部空間Ｓに配置される吸収体の量を多くすることができ、大量の尿が排出された場合でも吸収することが可能となる。【００７１】
液ガイドユニット９０は、図７及び図８に示されるように、尿道口の付近に配置され、排出された尿の流れが直接当たるようになっている。また、液ガイドユニット９０は、尿道口の付近から周辺に広がって存在しており、これにより、尿が排出された場合に、尿の流れが当たった位置から、尿を他の位置、具体的には、防漏体１０ｃの中央部付近に移動させるようになっている。したがって、図７及び図８に示される液ガイドユニット９０を用いた吸収体物品は、吸収体の利用効率が優れる。【００７２】
液ガイドユニット９０は、シート状である。シート状の液ガイドユニットは、材料を特に限定されず、例えば、フィルム、ネット、不織布、織物、編物、これらの組合せにより構成することができる。【００７３】
液ガイドユニットは、その少なくとも一部が伸縮性を有していてもよく、伸縮性材料と組み合わせて用いてもよい。これらの場合、液ガイドユニットが着用者の体位の変化や身体の動きに応じて微妙な追従性を示し、液ガイドユニットの位置が常に一定に保たれやすくなる。【００７４】
また、液ガイドユニットは、その少なくとも一部がクッション性を有していてもよく、クッション性材料と組み合わせて用いてもよい。これらの場合、液ガイドユニット自体又は液ガイドユニットとクッション性材料との組合せが、厚さが容易に変化することができるので、液ガイドユニットが着用者の体位の変化や身体の動きに応じて微妙な追従性を示し、液ガイドユニットの位置が常に一定に保たれやすくなる。【００７５】
液ガイドユニットがシート状である場合の具体的な構造としては、例えば、開口フィルム、嵩高不織布、伸縮性ネットが好適に挙げられる。【００７６】
液ガイドユニット９０は、防漏体１０ｃの前端と中央部とにおいて、折りたたまれ防漏体１０ｃの折り返し部分の上面で結合しており、かつ、その間では防漏体１０ｃと離間している。【００７７】
液ガイドユニット９０には、防漏体１０ｃの前端と中央部との間において、液ガイドユニット９０の上側から内部空間Ｓの他の位置への体液の移動を可能とする液移動性構造が設けられている。
この液移動性構造は、液ガイドユニット９０に設けられた液透過性部であり、より具体的には、液ガイドユニット９０に設けられたほぼ長方形の開口３６である。
液ガイドユニット９０の上側に排出された尿は、大部分が液ガイドユニット９０の上を後方に移動し、防漏体１０ｂの中央部付近まで移動するが、体位、排出量等によっては、一部が前方に移動することがある。この場合、その全量又は大部分は、開口３６を通過することにより、液ガイドユニット９０の上側から内部空間Ｓへと移動し、吸収体２０ｃに吸収される。したがって、尿が液ガイドユニット９０の上側に存在することによる体表面の濡れを抑制し、また、尿の外部への漏れを防止することができる。
図７に示されるように、液透過性部が液ガイドユニットに設けられたほぼ長方形の開口であると、長方形の縦横の長さ及び前端部からの距離を適正化することにより、尿の前方への移動を防止し、下側にある吸収体へと尿を誘導することができる。【００７８】
吸収体物品１００ｃは、更に、防漏体１０ｃの底面部１２ｃと一対の側部１４ｃの前端から上部の前側にかけての部分とに結合して、防漏体１０ｃの前側の開口を閉鎖する前方防漏体８０ｂ、及び、防漏体１０ｃの底面部１２ｃと一対の側部１４ｃの後端から上部の後側にかけての部分とに結合して、防漏体１０ｃの後側の開口を閉鎖する後方防漏体８２ｂを具備する。
前方防漏体８０ｂ及び後方防漏体８２ｂは、それぞれ吸収体物品１００ａの前方防漏体８０及び後方防漏体８２と基本的に同じであるが、開口３２及び３４を有しない点で異なる。【００７９】
吸収体物品１００ｃは、吸収体物品１００ａと同様に、パンツ型おむつ（テープレス型おむつ）を構成している。ウエストバンド５０ｃは、吸収体物品１００ａのウエストバンド５０ａに相当する。【００８０】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。【００８１】
例えば、液移動性構造としては、上述した防漏体の側部の上縁部に設けられた液透過性部だけでなく、防漏体の側部の上縁部の上側と内部空間との間に設けられた液移動性部材も好適に用いられる。
本発明の吸収体物品において、液移動性構造として液移動性部材が設けられていると、体液を比較的離れた位置まで移動させることができる。
液透過性部材の内部空間の側の端部の付近に前記吸収体が存在するのが好ましい態様の一つである。これにより、液透過性部材を通じて内部空間へと移動した体液を吸収体により速やかに吸収することができる。
液移動性部材は、その全部又は一部が親水性であるのが好ましい。液移動性部材に用いられる親水性の材料としては、例えば、レーヨン、コットン不織布、ガーゼが挙げられる。【００８２】
本発明の吸収体物品は、成人男性用、成人女性用及び子供用のいずれの用途にも好適に用いられる。
【図１】
2009016726.tif 000003
【図２】
2009016726.tif 000004
【図３】
2009016726.tif 000005
【図４】
2009016726.tif 000006
【図５】
2009016726.tif 000007
【図６】
2009016726.tif 000008
【図７】
2009016726.tif 000009
【図８】
2009016726.tif 000010
【国際調査報告】
2009016726.tif 000011
2009016726.tif 000012
2009016726.tif 000013
2009016726.tif 000014